(57)【要約】      （修正有）【課題】簡略構造で、軽量に構成でき、ソーラーパネル用架台を容易に設置可能であるソーラーパネル用架台の風による浮き上がり防止構造を提供する。【解決手段】ソーラーパネルＰが上面に設置されるソーラーパネル載置部２２と、屋上面３２上に垂直起立させソーラーパネル載置部２２の一端側底部に連結されて一端側を高位置に支持する所要数の長支柱２３と、屋上面３２上に垂直起立させソーラーパネル載置部２２の他端側底部に連結されて他端側を低位置に支持する所要数の短支柱２４と、により構成されるソーラーパネル用架台２１の風による浮き上がり防止構造１であり、連結ワイヤロープ２と、アンカー３と、ターンバックル４と、支柱用固定具５と、を具備する浮き上がり防止ユニット６を備える。【選択図】図２
0003198745.tif 000002
【実用新案登録請求の範囲】
【請求項１】
ソーラーパネルが上面に設置されるソーラーパネル載置部と、設置面上に垂直起立させ前記ソーラーパネル載置部の一端側底部に連結されて一端側を高位置に支持する所要数の長支柱と、設置面上に垂直起立させ前記ソーラーパネル載置部の他端側底部に連結されて他端側を低位置に支持する所要数の短支柱と、により構成されるソーラーパネル用架台の風による浮き上がり防止構造であって、
並設配置の前記長支柱、短支柱に添って配置され両端側をソーラーパネル用架台の外方に延在させた連結ワイヤロープと、
前記連結ワイヤロープの両端を各々前記ソーラーパネル用架台の周辺の固定構造部に固定する端部固定具と、
前記連結ワイヤロープの途中位置に介在させこの連結ワイヤロープを緊張状態とする連結ロープ緊張具と、
前記連結ワイヤロープが挿通されるとともに緊張状態となった連結ワイヤロープの前記長支柱、短支柱に添う部分を当該長支柱、短支柱の壁面に対して固定状態として取り付ける支柱用固定具と、
を具備する浮き上がり防止ユニットを備えることを特徴とするソーラーパネル用架台の風による浮き上がり防止構造。
【請求項２】
ソーラーパネルが上面に設置されるソーラーパネル載置部と、ビルディング等の屋上床面上に垂直起立させ前記ソーラーパネル載置部の一端側底部に連結されて一端側を高位置に支持する所要数の長支柱と、設置面上に垂直起立させ前記ソーラーパネル載置部の他端側底部に連結されて他端側を低位置に支持する所要数の短支柱と、により構成されるソーラーパネル用架台の風による浮き上がり防止構造であって、
並設配置の前記長支柱、短支柱に添って配置され両端側をソーラーパネル用架台の外方に延在させた連結ワイヤロープと、
前記連結ワイヤロープの両端を各々前記ソーラーパネル用架台の周辺に位置する壁部又はスラブに固定するアンカーと、
前記連結ワイヤロープの途中位置に介在させこの連結ワイヤロープを緊張状態とするターンバックルと、
前記連結ワイヤロープが挿通されるとともに緊張状態となった連結ワイヤロープの前記長支柱、短支柱に添う部分を当該長支柱、短支柱の壁面に対して固定状態として取り付ける固定金具、ボルト、ナットを用いた支柱用固定具と、
を具備する浮き上がり防止ユニットを備えることを特徴とするソーラーパネル用架台の風による浮き上がり防止構造。
【請求項３】
前記浮き上がり防止ユニットは、前記ソーラーパネル用架台の並設配置の各長支柱、短支柱を一方向に繋ぐ状態で配置されることを特徴とする請求項１又は２記載のソーラーパネル用架台の風による浮き上がり防止構造。
【請求項４】
前記浮き上がり防止ユニットは、前記ソーラーパネル用架台の並設配置の各長支柱、短支柱を一方向に繋ぐ状態と、前記ソーラーパネル用架台の並設配置の各長支柱及び並設配置の各短支柱を各々前記一方向と直交する他方向に繋ぐ状態との双方で配置されることを特徴とする  請求項１又は２記載のソーラーパネル用架台の風による浮き上がり防止構造。
【請求項５】
前記浮き上がり防止ユニットは、複数台のソーラーパネル用架台が一方向に列設された状態で、前記各ソーラーパネル用架台の並設配置の各長支柱、短支柱を一方向に連続的に繋ぐように配置されることを特徴とする請求項１又は２記載のソーラーパネル用架台の風による浮き上がり防止構造。
【請求項６】
前記浮き上がり防止ユニットは、複数台のソーラーパネル用架台が一方向に列設された状態で、前記各ソーラーパネル用架台の並設配置の各長支柱、短支柱を一方向に連続的に繋ぐ状態と、前記各ソーラーパネル用架台の並設配置の各長支柱及び並設配置の各短支柱を各々前記一方向と直交する他方向に繋ぐ状態との双方で配置されることを特徴とする請求項１又は２記載のソーラーパネル用架台の風による浮き上がり防止構造。
【請求項７】
前記浮き上がり防止ユニットは、並設配置の前記長支柱、短支柱に対して、又は。並設配置の各長支柱、並設配置の各短支柱に対して、各々上下２段配列で配置されることを特徴とする請求項１乃至５のいずれか１項に記載のソーラーパネル用架台の風による浮き上がり防止構造。
【考案の詳細な説明】
【技術分野】
【０００１】
本考案は、ソーラーパネル用架台の風による浮き上がり防止構造に関し、詳しくは、特にビルディング等の屋上に設置される太陽光発電に使用するソーラーパネル用架台の風による浮き上がりを効果的に防止し得るソーラーパネル用架台の風による浮き上がり防止構造に関するものである。
本考案の浮き上がり防止構造は、ビルディング等の屋上に設置される太陽光発電に使用するソーラーパネル用架台の他、一般家庭でのソーラーパネル用架台にも適用できることは勿論である。
【背景技術】
【０００２】
再生可能エネルギーの開発は、近年の東北大震災以降日本全体のエネルギー事情を考える上で大変重要な課題となっている。
【０００３】
再生可能エネルギーの内、太陽光発電システムは太陽光を利用した簡易な発電手段であるが、特にビルディング等の屋上等に設置される場合、吹き寄せる風の揚力に起因したソーラーパネル用架台の浮き上がりを防止することが肝要となる。
【０００４】
ビルディング等の屋上や屋根を利用して太陽光発電をする場合、問題になるのはソーラーパネル用架台の風による浮き上がりである。
それを防止するためにコンクリートブロックや、水タンクを利用して、アングルやソーラーパネル用架台の自重を増し、風力への対応を行うこともしている。
【０００５】
しかし、このような場合には、ビルディング等の屋上や 、屋根に重量を加えることによりその安定性を損なうことになる。
【０００６】
また、耐震強度の不足している建物や古い建築物は、太陽光発電をしたくても上述したことがネックになりソーラーパネルを取り付けることができないという事態も多く生じている。
【０００７】
特許文献１には、本考案に関連する技術として、太陽光発電パネルの前端縁あるいは後端縁のいずれか一方あるいは双方に太陽光発電パネル面に対して傾斜する風制御板を備え、前端縁に装備される風制御板としては、太陽光発電パネルの受光面側に上向きに突出する順風用風反らし板または地表面側に向けて突出する地表風抑制対策板のいずれか一方又は双方とし、また、後端縁に装備される風制御板としては、太陽光発電パネルの裏面側に突出する逆風用風反らし板とした構成からなる太陽光発電パネルの支持構造体が提案されている。
【０００８】
しかし、この太陽光発電パネルの支持構造体の場合、太陽光発電パネルの前端縁、後端縁に各々風制御板を付加した構成であり、個々の太陽光発電パネル毎に順風用風反らし板、地表風抑制対策板又は逆風用風反らし板を付加しなければならず、構造が複雑であるとともに、地上面設置を前提とした重量が大きいものであると推定される。
【０００９】
特に強風が吹き付けるビルディング等の屋上面に設置する場合には十分な基礎工事が困難であることを考慮すると風力に対する抵抗力の点で問題が有り、ビルディング等の屋上面に設置しても風力の作用時に太陽光発電パネルの浮き上がりを確実に防止することは難く、また、建物の構造強度が不足するような箇所には設置ができないものと推定される。
【先行技術文献】
【特許文献】
【００１０】
【特許文献１】特開２０１３−１７９２５０号公報
【考案の概要】
【考案が解決しようとする課題】
【００１１】
本考案が解決しようとする問題点は、簡略構造で、軽量に構成でき、構造強度が不足するようなビルディング等の屋上や 、家屋等の屋根上に対してもソーラーパネル用架台を容易に設置可能とするようなソーラーパネル用架台の風による浮き上がり防止構造が従来存在しない点である。
【課題を解決するための手段】
【００１２】
本考案は、ソーラーパネルが上面に設置されるソーラーパネル載置部と、設置面上に垂直起立させ前記ソーラーパネル載置部の一端側底部に連結されて一端側を高位置に支持する所要数の長支柱と、設置面上に垂直起立させ前記ソーラーパネル載置部の他端側底部に連結されて他端側を低位置に支持する所要数の短支柱と、により構成されるソーラーパネル用架台の風による浮き上がり防止構造であって、並設配置の前記長支柱、短支柱に添って配置され両端側をソーラーパネル用架台の外方に延在させた連結ワイヤロープと、前記連結ワイヤロープの両端を各々前記ソーラーパネル用架台の周辺の固定構造部に固定する端部固定具と、前記連結ワイヤロープの途中位置に介在させこの連結ワイヤロープを緊張状態とする連結ロープ緊張具と、前記連結ワイヤロープが挿通されるとともに緊張状態となった連結ワイヤロープの前記長支柱、短支柱に添う部分を当該長支柱、短支柱の壁面に対して固定状態として取り付ける支柱用固定具と、を具備する浮き上がり防止ユニットを備えることを最も主要な特徴とするものである。
【考案の効果】
【００１３】
請求項１記載の考案によれば、簡略構造で、軽量に構成でき、構造強度が不足するようなビルディング等の屋上等に対してもソーラーパネル用架台を容易に設置し、吹き寄せる風に対する抵抗力を高めることが可能なソーラーパネル用架台の風による浮き上がり防止構造を実現し、提供することができる。
【００１４】
請求項２記載の考案によれば、浮き上がり防止ユニットとして、連結ワイヤロープ、アンカー、ターンバックル及び固定金具、ボルト、ナットを用いた支柱用固定具からなる簡略、軽量な構成の基に、構造強度が不足するようなビルディング等の屋上等に対してもソーラーパネル用架台を容易に設置し、吹き寄せる風に対する抵抗力を高めることが可能なソーラーパネル用架台の風による浮き上がり防止構造を実現し、提供することができる。
【００１５】
請求項３記載の考案によれば、浮き上がり防止ユニットを、ソーラーパネル用架台の並設配置の各長支柱、短支柱を一方向に繋ぐ状態で配置する構成として、構造強度が不足するようなビルディング等の屋上等に対してもソーラーパネル用架台を容易に設置し、吹き寄せる風に対する抵抗力を高めることが可能なソーラーパネル用架台の風による浮き上がり防止構造を実現し、提供することができる。
【００１６】
請求項４記載の考案によれば、浮き上がり防止ユニットを、各ソーラーパネル用架台の並設配置の各長支柱、短支柱を一方向に繋ぐ状態と、一方向と直交する他方向に繋ぐ状態との双方の構成として、構造強度が不足するようなビルディング等の屋上等に対しても複数台のソーラーパネル用架台を容易に設置し、吹き寄せる風に対する抵抗力をより高めることが可能なソーラーパネル用架台の風による浮き上がり防止構造を実現し、提供することができる。
【００１７】
請求項５記載の考案によれば、複数台のソーラーパネル用架台を連設した状態において、前記浮き上がり防止ユニットを、前記各ソーラーパネル用架台の並設配置の各長支柱、短支柱を一方向に連続的に繋ぐように配置した構成として、構造強度が不足するようなビルディング等の屋上等に対しても複数台のソーラーパネル用架台を容易に設置し、吹き寄せる風に対する抵抗力を高めることが可能なソーラーパネル用架台の風による浮き上がり防止構造を実現し、提供することができる。
【００１８】
請求項６記載の考案によれば、複数台のソーラーパネル用架台を連設した状態において、前記浮き上がり防止ユニットを、各ソーラーパネル用架台の並設配置の各長支柱、短支柱を一方向に繋ぐ状態と、一方向と直交する他方向に繋ぐ状態との双方の構成として、構造強度が不足するようなビルディング等の屋上等に対しても複数台のソーラーパネル用架台を容易に設置し、吹き寄せる風に対する抵抗力をより高めることが可能なソーラーパネル用架台の風による浮き上がり防止構造を実現し、提供することができる。
【００１９】
請求項７記載の考案によれば、浮き上がり防止ユニットを、ソーラーパネル用架台の並設配置の長支柱、短支柱に対して、又は。並設配置の各長支柱、並設配置の各短支柱に対して、各々上下２段配列で配置する構成として、構造強度が不足するようなビルディング等の屋上等に対してもソーラーパネル用架台を容易に設置し、吹き寄せる風に対する抵抗力をより高め、かつ、より頑強な構造のソーラーパネル用架台の風による浮き上がり防止構造を実現し、提供することができる。
【図面の簡単な説明】
【００２０】
【図１】図１は本考案の実施例に係るソーラーパネル用架台の風による浮き上がり防止構造を示す概略平面図である。
【図２】図２は本実施例に係るソーラーパネル用架台の風による浮き上がり防止構造を示す概略断面図である。
【図３】図３は本実施例に係るソーラーパネル用架台の風による浮き上がり防止構造における浮き上がり防止ユニットを構成する支柱用固定具の拡大正面図である。
【図４】図４は本実施例に係るソーラーパネル用架台の風による浮き上がり防止構造における浮き上がり防止ユニットを構成する支柱用固定具の拡大側面図である。
【図５】図５は本実施例に係るソーラーパネル用架台の風による浮き上がり防止構造における浮き上がり防止ユニットを構成する連結ロープ緊張具を示す拡大平面図である。
【図６】図６は本実施例に係るソーラーパネル用架台の風による浮き上がり防止構造における浮き上がり防止ユニットを構成する端部固定具の拡大側面図である。
【図７】図７は本実施例に係るソーラーパネル用架台の風による浮き上がり防止構造における浮き上がり防止ユニットを一方向及びこれと直交する他方向に配置した例を示す概略平面図である。
【図８】図８は本実施例に係るソーラーパネル用架台を複数台列設した場合における風による浮き上がり防止構造を示す概略断面図である。
【考案を実施するための形態】
【００２１】
本考案は、簡略構造で、軽量に構成でき、構造強度が不足するようなビルディング等の屋上や 、家屋等の屋根上に対してもソーラーパネル用架台を容易に設置可能であるソーラーパネル用架台の風による浮き上がり防止構造を実現し提供するという目的を、ソーラーパネルが上面に設置されるソーラーパネル載置部と、ビルディング等の屋上床面上に垂直起立させ前記ソーラーパネル載置部の一端側底部に連結されて一端側を高位置に支持する所要数の長支柱と、設置面上に垂直起立させ前記ソーラーパネル載置部の他端側底部に連結されて他端側を低位置に支持する所要数の短支柱と、により構成されるソーラーパネル用架台の風による浮き上がり防止構造であって、並設配置の前記長支柱、短支柱に添って配置され両端側をソーラーパネル用架台の外方に延在させた連結ワイヤロープと、前記連結ワイヤロープの両端を各々前記ソーラーパネル用架台の周辺に位置する壁部又はスラブに固定するアンカーと、前記連結ワイヤロープの途中位置に介在させこの連結ワイヤロープを緊張状態とするターンバックルと、前記連結ワイヤロープが挿通されるとともに緊張状態となった連結ワイヤロープの前記長支柱、短支柱に添う部分を当該長支柱、短支柱の壁面に対して固定状態として取り付ける固定金具、ボルト、ナットを用いた支柱用固定具と、を具備する浮き上がり防止ユニットを備える構成により実現した。
【実施例】
【００２２】
以下、本考案の実施例に係るソーラーパネル用架台の風による浮き上がり防止構造について図面を参照して詳細に説明する。
【００２３】
本実施例に係るソーラーパネル用架台２１の風による浮き上がり防止構造１は、図１及び図２に示すように、例えばビルディング等の建物３１における屋上の屋上面３２に設置されるソーラーパネル用架台２１に作用する風によるソーラーパネル用架台２１の浮き上がり防止を図るものである。
本考案の浮き上がり防止構造１は、前記したように、ビルディング等の屋上に設置される太陽光発電に使用するソーラーパネル用架台の他、一般家庭でのソーラーパネル用架台にも適用できることは勿論である。
【００２４】
前記ソーラーパネル用架台２１は、太陽光発電を行うソーラーパネルＰが上面に設置される例えば鉄骨等からなるソーラーパネル載置部２２と、屋上面３２上に垂直起立させ前記ソーラーパネル載置部２２の一端側底部に連結されて一端側を高位置に支持する例えば鉄骨等からなる所要数（例えば２本）の長支柱２３と、屋上面３２上に垂直起立させ前記ソーラーパネル載置部２２の他端側底部に連結されて他端側を低位置に支持する例えば鉄骨等からなる所要数（例えば２本）の短支柱２４と、により構成し、前記ソーラーパネル載置部２２を傾斜配置に固定支持して、前記ソーラーパネルＰが受光する太陽光を基に発電を行うようにしている。
【００２５】
本実施例においては、２本の長支柱２３と、２本の短支柱２４とを全体として平面視四角形状を呈する配置とした例を示しているが、これに限定されるものでないことは勿論である。
【００２６】
浮き上がり防止構造１は、図１、図２に示すように、並設配置の前記長支柱２３、短支柱２４に添って配置され両端側をソーラーパネル用架台２１の外方に延在させた例えば連結ワイヤロープ２と、前記連結ワイヤロープ２の両端に連結され各々前記ソーラーパネル用架台２１の周辺に位置する建物３１の壁部（又はスラブ）３３に固定する端部固定具としての公知のアンカー３と、前記連結ワイヤロープ２の途中位置に介在する状態でこの連結ワイヤロープ２に両端を連結させ、この連結ワイヤロープ２を緊張状態とすることが可能な連結ロープ緊張具である公知のターンバックル４と、前記連結ワイヤロープ２が挿通されるとともに緊張状態となった連結ワイヤロープ２の前記名長支柱２３、短支柱２４に添う部分を当該長支柱２３、短支柱２４の壁面に対して固定状態として取り付ける金属からなる固定金具１１、ボルト１２、ナット１０を用いた支柱用固定具５と、を具備する浮き上がり防止ユニット６を備えている。
【００２７】
本実施例においては、図２に示すように、前記浮き上がり防止ユニット６を建物３１の壁部（又はスラブ）３３に対し上下２段配置としている。
【００２８】
前記支柱用固定具５は、図３、図４に示すように、前記長支柱２３又は短支柱２４に連結ワイヤロープ２を固定するための固定金具１１を具備している。
【００２９】
この固定金具１１は、中央の突部１１ｃに連結ワイヤロープ２用の挿通孔１１ｄを設けるとともに、その両側に突片部１１ａ、１１ｂを備え、前記長支柱２３又は短支柱２４の壁面に添着されるように構成している。
【００３０】
また、ボルト１２を前記突片部１１ａ、前記長支柱２３又は短支柱２４を貫通させて反対側に突出させ、同様にボルト１２を前記突片部１１ｂ、前記長支柱２３又は短支柱２４を貫通させて反対側に突出させて、各ボルト１２にナット１０を各々螺合し締め付けることで、固定金具１１を前記長支柱２３又は短支柱２４の壁面に固着するように構成している。
【００３１】
更に、前記中央の突部１１ｃに設けた挿通孔１１ｄに前記連結ワイヤロープ２を挿通し、この状態で突部１１ｃの外側からボルト１２をその肉厚部を貫通させて前記連結ワイヤロープ２に先端を当接させ締め付けることで、前記連結ワイヤロープ２の前記長支柱２３又は短支柱２４に対応する部分を一体的に固定連結するように構成している。
【００３２】
前記ターンバックル４は、図５に示すように、公知のような構造のターンバックル本体１３と、その両端の連結ワイヤロープ止めフック片１４、１４とを具備し、前記連結ワイヤロープ２の途中の所定位置において、連結ワイヤロープ止めフック片１４、１４に各々連結ワイヤロープ２の各無端部を固着して、ターンバックル本体１３を手動日餌にて回転させることにより、連結ワイヤロープ２を緊張状態としたり、弛緩状態としたりすることができるように構成している。
【００３３】
前記アンカー３は、図６に示すように、公知のように、壁部３３に抜け出し不能に埋設するアンカー本体１５と、アンカー本体１５の頂部に取り付ける連結ワイヤロープ止め板１６と、連結ワイヤロープ止め板１６を貫通してアンカー本体１５にねじ込むアンカーネジ１７と、を具備し、連結ワイヤロープ２の端部を連結ワイヤロープ止め板１６に固着して、アンカーネジ１７をアンカー本体１５にねじ込むことにより、連結ワイヤロープ２の端部を壁部３３に固定連結するように構成している。
【００３４】
次に、本実施例に係るソーラーパネル用架台２１の風による浮き上がり防止構造１のソーラーパネル用架台２１に対する取り付け態様及び作用効果について説明する。
【００３５】
前記ソーラーパネル用架台２１に対して前記浮き上がり防止ユニット６を取り付けるに際しては、まず、前記支柱用固定具５を２個用意し、これらの固定金具１１の挿通孔１１ｄに所定の長さを有する連結ワイヤロープ２を挿通する。
また、連結ワイヤロープ２の所定位置には前記ターンバックル４を介在させる。更に連結ワイヤロープ２の両端部に各々アンカー３を配置する。
【００３６】
次に、両端部の各アンカー３を図２に示すように各々前記ソーラーパネル用架台２１の一方向両側に位置する各壁部３３に打ち込む。次に、連結ワイヤロープ２を前記長支柱２３、短支柱２４の壁面にそっと配置した状態で前記ターンバックル４により連結ワイヤロープ２を一方向で緊張させる。
【００３７】
次に、前記連結ワイヤロープ２が挿通されている２個の固定金具１１の一方を、前記長支柱２３の壁面に添着し、ボルト１２を前記突片部１１ａ、前記長支柱２３を貫通させて反対側に突出させ、ボルト１２にナット１０を螺合し締め付けて、固定金具１１を前記長支柱２３の壁面に固着する。
【００３８】
更に、前記中央の突部１１ｃの外側からボルト１２をその肉厚部を貫通させて前記連結ワイヤロープ２に先端を当接させ締め付け、前記連結ワイヤロープ２の前記長支柱２３に対応する部分を一体的に固定連結する。
【００３９】
同様にして、前記長支柱２３に対して一方向で連設されている前記短支柱２４の壁面に対しても、支柱用固定具５を用いて前記連結ワイヤロープ２の前記短支柱２４に対応する部分を一体的に固定連結する。
【００４０】
以上の手順により、ソーラーパネル用架台２１に対する浮き上がり防止ユニット６の取り付け作業が終了する。
【００４１】
なお、図２には、ソーラーパネル用架台２１に対して、浮き上がり防止ユニット６を上下２段にわたって取り付け、風に対する抵抗を浮き上がり防止ユニット６一段の場合よりも高めた例を示している。
【００４２】
前記浮き上がり防止ユニット６を一段配置とするか、二段配置とするか、更に多段配置とするかは、設置箇所の風況に応じて適宜選定し得ることは言うまでもない。
【００４３】
すなわち、下段の浮き上がり防止ユニット６は、長支柱２３、短支柱２４の下部側に一方向で連結ワイヤロープ２を配置し、両端の各アンカー３を前記壁部３３の内壁に打ち込んだ構造を示し、上段の浮き上がり防止ユニット６は、長支柱２３、短支柱２４の上部側に一方向で連結ワイヤロープ２を配置し、両端の各アンカー３を前記壁部３３の外壁に打ち込んだ構造を示している。
【００４４】
以上説明した本実施例に係るソーラーパネル用架台２１の風による浮き上がり防止構造１によれば、ソーラーパネル用架台２１を浮き上がり防止ユニット６を用いて強固に固定できるので、吹き寄せる風に対する抵抗力を高めつつビルディング等の建物３１の屋上に対して容易に設置することができる。
【００４５】
また、本実施例に係るソーラーパネル用架台２１の風による浮き上がり防止構造１によれば、浮き上がり防止ユニット６を、前記連結ワイヤロープ２、アンカー３、ターンバックル４及び支柱用固定具５から構成しているので、浮き上がり防止ユニット６を軽量に構成でき、これにより、建物３１に対する重量負荷が小さいことから、いままで建物３１の構造強度不足でソーラーパネル用架台２１を設置できなかった箇所においてもソーラーパネル用架台２１を設置して太陽光発電を行うことが可能となる。
【００４６】
更に、上述した簡略構成の浮き上がり防止ユニット６によれば、取付工事が簡単であること、点検やメンテナンスが極めて容易になること、浮き上がり防止ユニット６によるソーラーパネル用架台２１の固定作業が極めて簡略であること等の優れた効果を奏するものである。
【００４７】
次に、図７を参照して本実施例に係るソーラーパネル用架台２１の風による浮き上がり防止構造１において、前記浮き上がり防止ユニット６を一方向及びこれと直交する他方向に配置した例について説明する。
【００４８】
この場合において、図１、図２に示す風による浮き上がり防止構造１と同一の要素には同一の符号を付し、その詳細説明は省略する。
【００４９】
図７に示す風による浮き上がり防止構造１は、図１、図２に示す風による浮き上がり防止構造１の構成を採用するとともに、前記ソーラーパネル用架台２１の並設配置の２本の長支柱２３、２３を一方向と直交する他方向に繋ぐように前記浮き上がり防止ユニット６の連結ワイヤロープ２を配置したこと、及び、前記ソーラーパネル用架台２１の並設配置の２本の短支柱２４，２４を一方向と直交する他方向に繋ぐように前記浮き上がり防止ユニット６の連結ワイヤロープ２を配置したことが特徴である。
【００５０】
図７に示すソーラーパネル用架台２１の風による浮き上がり防止構造１においても、前記ソーラーパネル用架台２１に対する前記浮き上がり防止ユニット６の配置個数は一方向に一段、他方向に一段としたり、一方向に二段、他方向に二段としたり等、適宜選定可能であることは言うまでもない。
【００５１】
図７に示すソーラーパネル用架台２１の風による浮き上がり防止構造１によれば、既述した図１、図２に示す場合と同様な効果を奏し、かつ、前記浮き上がり防止ユニット６を一方向、他方向の双方向に配置した構成により、風に対する抵抗力をより高めたより強固な構造のソーラーパネル用架台２１の風による浮き上がり防止構造１を実現することができる。
【００５２】
次に、図８を参照して本実施例に係るソーラーパネル用架台２１を例えば３台列設した場合における風による浮き上がり防止構造１Ａについて説明する。
【００５３】
図８に示す風による浮き上がり防止構造１Ａにおいて、図１、図２に示す風による浮き上がり防止構造１と同一の要素には同一の符号を付し、その詳細説明は省略する。
図８に示す風による浮き上がり防止構造１Ａは、例えばビルディング等の建物３１の比較的広面積の屋上の屋上面３２に例えば所定の間隔を隔て３台連設配置に設置される各ソーラーパネル用架台２１に対して、これら３台を一方向に繋ぐようにして前記浮き上がり防止ユニット６を例えば上下二段配置し、これら３台のソーラーパネル用架台２１に作用する風による浮き上がり防止を図るものである。
【００５４】
図８に示すソーラーパネル用架台２１の風による浮き上がり防止構造１Ａの場合においても、前記ソーラーパネル用架台２１に対する前記浮き上がり防止ユニット６の配置個数は一方向に一段のみとしたり、図示のように一方向に二段としたり、一方向に一段、他方向に一段としたり、一方向に二段、他方向に二段としたり等、適宜選定可能であることは言うまでもない。
【００５５】
図８に示す風による浮き上がり防止構造１Ａによれば、既述した場合と同様な効果を奏するとともに、比較的広面積の屋上の屋上面３２に複数台のソーラーパネル用架台２１を配置し、ソーラーパネルＰを設置して太陽光発電を行う場合に容易に対応することができる。
【産業上の利用可能性】
【００５６】
本考案のソーラーパネル用架台の風による浮き上がり防止構造は、ビルディングの屋上に設置するソーラーパネル用架台に適用する場合の他、周辺にアンカーを固定する構造物が存在すれば、一般家庭の庭の一部、各種学校における校庭等の敷地の一部、風通しの良い海岸の丘上等の場所に設置するソーラーパネル用架台に対しても広範に適用可能である。
【符号の説明】
【００５７】
１    ソーラーパネル用架台の風による浮き上がり防止構造
１Ａ  ソーラーパネル用架台の風による浮き上がり防止構造
２    連結ワイヤロープ
３    アンカー
４    ターンバックル
５    支柱用固定具
６    浮き上がり防止ユニット
１０    ナット
１１    固定金具
１１ａ  突片部
１１ｂ  突片部
１１ｃ  突部
１１ｄ  挿通孔
１２    ボルト
１３    ターンバックル本体
１４    連結ワイヤロープ止めフック片
１５    アンカー本体
１６    連結ワイヤロープ止め板
１７    アンカーネジ
２１    ソーラーパネル用架台
２２    ソーラーパネル載置部
２３    長支柱
２４    短支柱
３１    建物
３２    屋上面
３３    壁部
Ｐ    ソーラーパネル
【図１】
0003198745.tif 000003
【図２】
0003198745.tif 000004
【図３】
0003198745.tif 000005
【図４】
0003198745.tif 000006
【図５】
0003198745.tif 000007
【図６】
0003198745.tif 000008
【図７】
0003198745.tif 000009
【図８】
0003198745.tif 000010
【手続補正書】
【提出日】平成27年5月14日(2015.5.14)
【手続補正１】
【補正対象書類名】明細書
【補正対象項目名】００１９
【補正方法】変更
【補正の内容】
【００１９】
請求項７記載の考案によれば、浮き上がり防止ユニットを、ソーラーパネル用架台の並設配置の長支柱、短支柱に対して、又は、並設配置の各長支柱、並設配置の各短支柱に対して、各々上下２段配列で配置する構成として、構造強度が不足するようなビルディング等の屋上等に対してもソーラーパネル用架台を容易に設置し、吹き寄せる風に対する抵抗力をより高め、かつ、より頑強な構造のソーラーパネル用架台の風による浮き上がり防止構造を実現し、提供することができる。
【手続補正２】
【補正対象書類名】明細書
【補正対象項目名】００２１
【補正方法】変更
【補正の内容】
【００２１】
本考案は、簡略構造で、軽量に構成でき、構造強度が不足するようなビルディング等の屋上や、家屋等の屋根上に対してもソーラーパネル用架台を容易に設置可能であるソーラーパネル用架台の風による浮き上がり防止構造を実現し提供するという目的を、ソーラーパネルが上面に設置されるソーラーパネル載置部と、ビルディング等の屋上床面上に垂直起立させ前記ソーラーパネル載置部の一端側底部に連結されて一端側を高位置に支持する所要数の長支柱と、屋上床面上に垂直起立させ前記ソーラーパネル載置部の他端側底部に連結されて他端側を低位置に支持する所要数の短支柱と、により構成されるソーラーパネル用架台の風による浮き上がり防止構造であって、並設配置の前記長支柱、短支柱に添って配置され両端側をソーラーパネル用架台の外方に延在させた連結ワイヤロープと、前記連結ワイヤロープの両端を各々前記ソーラーパネル用架台の周辺に位置する壁部又はスラブに固定するアンカーと、前記連結ワイヤロープの途中位置に介在させこの連結ワイヤロープを緊張状態とするターンバックルと、前記連結ワイヤロープが挿通されるとともに緊張状態となった連結ワイヤロープの前記長支柱、短支柱に添う部分を当該長支柱、短支柱の壁面に対して固定状態として取り付ける固定金具、ボルト、ナットを用いた支柱用固定具と、を具備する浮き上がり防止ユニットを備える構成により実現した。
【手続補正３】
【補正対象書類名】実用新案登録請求の範囲
【補正対象項目名】請求項２
【補正方法】変更
【補正の内容】
【請求項２】
ソーラーパネルが上面に設置されるソーラーパネル載置部と、ビルディング等の屋上床面上に垂直起立させ前記ソーラーパネル載置部の一端側底部に連結されて一端側を高位置に支持する所要数の長支柱と、屋上床面上に垂直起立させ前記ソーラーパネル載置部の他端側底部に連結されて他端側を低位置に支持する所要数の短支柱と、により構成されるソーラーパネル用架台の風による浮き上がり防止構造であって、
並設配置の前記長支柱、短支柱に添って配置され両端側をソーラーパネル用架台の外方に延在させた連結ワイヤロープと、
前記連結ワイヤロープの両端を各々前記ソーラーパネル用架台の周辺に位置する壁部又はスラブに固定するアンカーと、
前記連結ワイヤロープの途中位置に介在させこの連結ワイヤロープを緊張状態とするターンバックルと、
前記連結ワイヤロープが挿通されるとともに緊張状態となった連結ワイヤロープの前記長支柱、短支柱に添う部分を当該長支柱、短支柱の壁面に対して固定状態として取り付ける固定金具、ボルト、ナットを用いた支柱用固定具と、
を具備する浮き上がり防止ユニットを備えることを特徴とするソーラーパネル用架台の風による浮き上がり防止構造。
【手続補正４】
【補正対象書類名】実用新案登録請求の範囲
【補正対象項目名】請求項７
【補正方法】変更
【補正の内容】
【請求項７】
前記浮き上がり防止ユニットは、並設配置の前記長支柱、短支柱に対して、又は、並設配置の各長支柱、並設配置の各短支柱に対して、各々上下２段配列で配置されることを特徴とする請求項１乃至５のいずれか１項に記載のソーラーパネル用架台の風による浮き上がり防止構造。